(57)【要約】【課題】活性エネルギー線を照射することによって硬化するインクを用いて様々な種類の記録媒体に記録を行う場合にも、高精細な画像を形成し、所望の画質や光沢感を得ることのできるインクジェット記録装置を提供する。【解決手段】活性エネルギー線を照射することによって硬化するインクを記録媒体２上に吐出する記録ヘッド１３と、吐出されたインクに活性エネルギー線を照射する照射装置１４と、記録媒体２又は記録ヘッド１３の少なくともいずれか一方を移動させる移動機構と、記録媒体２の最大吸液量又は一定時間後の吸液量が閾値を超えるときは、インクが記録媒体２に着弾してから活性エネルギー線がインクに照射されるまでの時間を短くするように移動機構７を制御するとともに吐出させるインクの量を減少させるように記録ヘッド１３を制御する制御部２０を備えた。【選択図】図１
2007144849.tif 000002
【特許請求の範囲】
【請求項１】
活性エネルギー線を照射することによって硬化するインクを記録媒体上に吐出する記録ヘッドと、
吐出された前記インクに活性エネルギー線を照射する照射装置と、
前記記録媒体又は記録ヘッドの少なくともいずれか一方を移動させる移動機構と、
前記記録媒体の最大吸液量又は一定時間後の吸液量が閾値を超えるときは、前記インクが前記記録媒体に着弾してから活性エネルギー線が前記インクに照射されるまでの時間を短くするように前記移動機構を制御するとともに吐出させる前記インクの量を減少させるように前記記録ヘッドを制御する制御部を備えたことを特徴とするインクジェット記録装置。
【請求項２】
前記一定時間とは、前記記録媒体に前記インクが着弾してから活性エネルギー線がインクに照射されるまでの時間であることを特徴とする請求項１に記載のインクジェット記録装置。
【請求項３】
前記一定時間とは、０．１から０．４秒以内であることを特徴とする請求項１又は請求項２に記載のインクジェット記録装置。
【請求項４】
前記記録媒体は、最大吸液量が３から２５ｍｌ／ｍ２のものであることを特徴とする請求項１から請求項３のいずれか一項に記載のインクジェット記録装置。
【請求項５】
前記吸液量の閾値は、３から２５ｍｌ／ｍ２であることを特徴とする請求項１から請求項４のいずれか一項に記載のインクジェット記録装置。
【請求項６】
活性エネルギー線を照射することによって硬化するインクを記録媒体上に吐出する記録ヘッドと、
吐出された前記インクに活性エネルギー線を照射する照射装置と、
前記記録媒体又は前記記録ヘッドの少なくともいずれか一方を移動させる移動機構と、
前記記録ヘッドから吐出されるインク量と前記記録媒体の吸液量との差分に基づいて、前記インクが前記記録媒体に着弾してから活性エネルギー線が前記インクに照射されるまでの時間を変化させるように前記移動機構を制御するとともに吐出させる前記インクの量を変化させるように前記記録ヘッドを制御する制御部を備えたことを特徴とするインクジェット記録装置。
【請求項７】
前記記録媒体に前記インクが着弾してから活性エネルギー線が前記インクに照射されるまでの時間は、０．１から０．４秒以内であることを特徴とする請求項６に記載のインクジェット記録装置。
【請求項８】
前記差分を求める際の、前記記録媒体の吸液量は、３から２５ｍｌ／ｍ２であることを特徴とする請求項６又は請求項７に記載のインクジェット記録装置。
【請求項９】
周面に前記記録媒体を保持して回転するドラム回転体と、
前記ドラム回転体を回転させる回転機構とを備え、
前記制御部は、前記ドラム回転体の回転数を変えることにより前記インクが前記記録媒体に着弾してから活性エネルギー線が前記インクに照射されるまでの時間を変化させるように前記回転機構を制御することを特徴とする請求項１から請求項８のいずれか一項に記載のインクジェット記録装置。
【発明の詳細な説明】
【技術分野】
【０００１】
本発明は、インクジェット記録装置に係り、特に、活性エネルギー線を照射することによって硬化するインクを用いて画像記録を行うインクジェット記録装置に関するものである。
【背景技術】
【０００２】
一般に、少量多品種の需要に対して臨機応変に対応できる記録装置として、従来よりインクジェット方式の記録装置（以下「インクジェット記録装置」と称する。）が知られている。インクジェット記録装置は、記録ヘッドの記録媒体に対向する面に設けられたノズルからインクを吐出して記録媒体上に着弾、定着させることにより記録媒体に画像を記録するものであり、従来のグラビア印刷方式やフレキソ印刷方式による画像記録手段と異なって製版工程を必要としないため少量の需要にも簡易かつ迅速に対応することができるという特徴を有している。また、騒音が少なく多色のインクを用いることによってカラーでの画像記録も容易に行うことができるという長所がある。
【０００３】
さらに近年は、様々な記録媒体に対応可能なインクジェット記録装置として、例えば紫外線等の光に対して所定の感度を有する光開始剤が含有された光硬化型インクを用い、記録媒体上に着弾したインクに光を照射することで、インクを硬化させ記録媒体上に定着させる光硬化型インクを用いたインクジェット記録装置が知られている（例えば、特許文献１参照）。このような光硬化型インクを用いたインクジェット記録装置等、活性エネルギー線を照射することによって硬化するインクを用いて記録を行うインクジェット記録装置は、活性エネルギー線の照射によりインクが瞬時に硬化するため、普通紙はもとより、インク受容層を持たずインク吸収性の全くない樹脂製のフィルムや金属等の記録媒体に対しても画像記録を行うことが可能である。
【０００４】
しかし、画像記録を行った際のインクを吸収する量は記録媒体ごとに異なるため、吐出させるインクの液適量や光照射のタイミングによっては画像の質感や光沢感に差違を生じ、高精細な画像を得ることができないとの問題がある。
【０００５】
すなわち、例えば、電子写真方式で一般的に用いられる非塗工紙や繊維状の記録媒体等のように、インク吸収性のよい記録媒体に対して記録を行う場合には、吐出させるインクの液適量や活性エネルギー線を照射するタイミングによっては、記録媒体内部へのインクの浸透量が過剰となり、光照射後も未硬化のインクが記録媒体内部に留まり、乾かない状態となる。他方、表面加工が施された記録媒体等のようにインク吸収性の悪い記録媒体の場合には、吐出されたインクが記録媒体に浸透せず、記録媒体の表面に残留する。この場合、吐出されたインク量に応じて画像表面に凹凸が生じ、画像の質感や光沢感を損ねる結果となる。
【０００６】
そして、記録媒体のインクの吸収量をコントロールすることができれば、記録媒体の種類に関わらず所定の画質を得られるようにすることができるが、このようなコントロールを行う手段は考案されていないため、画質を一律化することが困難であるとの問題がある。
【０００７】
そこで、従来、記録媒体の種類に応じて光を照射するタイミングを変化させる記録装置が知られている（例えば、特許文献２参照）。また、記録媒体へのインクの浸透量に応じて光照射タイミングを変化させるインクジェット記録装置も提案されている（例えば、特許文献３参照）。
【特許文献１】特開２００１−３１０４５４号公報
【特許文献２】特開２００４−１８８６５９号公報
【特許文献３】特許第３５４９１５９号公報
【発明の開示】
【発明が解決しようとする課題】
【０００８】
しかしながら、インクジェット記録装置による画質の変化は、記録媒体のインク吸液量と記録媒体上にインクが着弾してから活性エネルギー線が照射されインクが硬化するまでの時間との両方が組み合わさって生じるものであるため、記録媒体の種類、記録媒体へのインクの浸透量のみに応じて制御を行っても、高精細な画像を形成し、所望の画質や光沢感を得るという効果を十分に得ることができないとの問題があった。
【０００９】
そこで、本発明は以上のような課題を解決するためになされたものであり、活性エネルギー線を照射することによって硬化するインクを用いて様々な種類の記録媒体に記録を行う場合にも、高精細な画像を形成し、所望の画質や光沢感を得ることのできるインクジェット記録装置を提供することを目的とするものである。
【課題を解決するための手段】
【００１０】
上記課題を解決するため、請求項１に記載のインクジェット記録装置は、活性エネルギー線を照射することによって硬化するインクを記録媒体上に吐出する記録ヘッドと、
吐出された前記インクに活性エネルギー線を照射する照射装置と、
前記記録媒体又は記録ヘッドの少なくともいずれか一方を移動させる移動機構と、
前記記録媒体の最大吸液量又は一定時間後の吸液量が閾値を超えるときは、前記インクが前記記録媒体に着弾してから活性エネルギー線が前記インクに照射されるまでの時間を短くするように前記移動機構を制御するとともに吐出させる前記インクの量を減少させるように前記記録ヘッドを制御する制御部を備えたことを特徴としている。
【００１１】
このような構成を有する請求項１に記載の発明においては、移動機構によって記録媒体又は記録ヘッドの少なくともいずれか一方を移動させながら記録ヘッドから活性エネルギー線を照射することによって硬化するインクを記録媒体上に吐出し、照射装置からインクに活性エネルギー線を照射してインクを硬化させる場合に、記録媒体の最大吸液量若しくは一定時間後の吸液量が閾値を超えるときは、制御部が記録媒体にインクが着弾してから活性エネルギー線がインクに照射されるまでの時間を短くするように移動機構を制御するとともに吐出させるインク量を減少させるように記録ヘッドを制御するようになっている。
【００１２】
請求項２に記載の発明は、請求項１に記載のインクジェット記録装置において、前記一定時間とは、前記記録媒体に前記インクが着弾してから活性エネルギー線がインクに照射されるまでの時間であることを特徴としている。
【００１３】
このような構成を有する請求項２に記載の発明においては、記録媒体にインクが着弾してから活性エネルギー線がインクに照射されるまでの時間が経過するまでに吸液量が閾値を超えるときは、インクが記録媒体に着弾してから活性エネルギー線がインクに照射されるまでの時間を短くするとともに吐出させるインク量を少なくするようになっている。
【００１４】
さらに、請求項３に記載の発明は、請求項１又は請求項２に記載のインクジェット記録装置において、前記一定時間とは、０．１から０．４秒以内であることを特徴としている。
【００１５】
このように、請求項３に記載の発明は、０．１から０．４秒以内に吸液量が閾値を超えるときは、インクが記録媒体に着弾してから活性エネルギー線がインクに照射されるまでの時間を短くするとともに吐出させるインク量を減少させるようになっている。
【００１６】
さらに、請求項４に記載の発明は、請求項１から請求項３のいずれか一項に記載のインクジェット記録装置において、前記記録媒体は、最大吸液量が３から２５ｍｌ／ｍ２のものであることを特徴としている。
【００１７】
したがって、請求項４に記載の発明によれば、最大吸液量が３から２５ｍｌ／ｍ２の記録媒体を用いて画像記録を行うようになっている。
【００１８】
また、請求項５に記載の発明は、請求項１から請求項４のいずれか一項に記載のインクジェット記録装置において、前記吸液量の閾値は、３から２５ｍｌ／ｍ２であることを特徴としている。
【００１９】
したがって、請求項５に記載の発明では、一定時間後の吸液量が、３から２５ｍｌ／ｍ２を超えるときは、インクが記録媒体に着弾してから活性エネルギー線がインクに照射されるまでの時間を短くするとともに吐出させるインク量を減少させるようになっている。
【００２０】
また、請求項６に記載のインクジェット記録装置は、活性エネルギー線を照射することによって硬化するインクを記録媒体上に吐出する記録ヘッドと、
吐出された前記インクに活性エネルギー線を照射する照射装置と、
前記記録媒体又は前記記録ヘッドの少なくともいずれか一方を移動させる移動機構と、
前記記録ヘッドから吐出されるインク量と前記記録媒体の吸液量との差分に基づいて、前記インクが前記記録媒体に着弾してから活性エネルギー線が前記インクに照射されるまでの時間を変化させるように前記移動機構を制御するとともに吐出させる前記インク量を変化させるように前記記録ヘッドを制御する制御部を備えたことを特徴としている。
【００２１】
したがって、請求項６に記載の発明では、移動機構によって記録媒体又は記録ヘッドの少なくともいずれか一方を移動させながら記録ヘッドから活性エネルギー線を照射することによって硬化するインクを記録媒体上に吐出し、照射装置からインクに活性エネルギー線を照射してインクを硬化させる場合に、記録媒体から吐出されるインク量と記録媒体の吸液量との差分に基づいて、インクが記録媒体に着弾してから活性エネルギー線がインクに照射されるまでの時間を変化させるように移動機構を制御するとともに吐出させるインク量を変化させるように制御部が記録ヘッドを制御するようになっている。
【００２２】
また、請求項７に記載の発明は、請求項６に記載のインクジェット記録装置において、前記記録媒体に前記インクが着弾してから活性エネルギー線が前記インクに照射されるまでの時間は、０．１から０．４秒以内であることを特徴としている。
【００２３】
このように、請求項７に記載の発明によれば、記録媒体にインクが着弾してから０．１から０．４秒以内に活性エネルギー線がインクに照射されるようになっている。
【００２４】
また、請求項８に記載の発明は、請求項６又は請求項７に記載のインクジェット記録装置において、前記差分を求める際の、前記記録媒体の吸液量は、３から２５ｍｌ／ｍ２であることを特徴としている。
【００２５】
このように、請求項８に記載の発明によれば、吸液量が３から２５ｍｌ／ｍ２である記録媒体を用いて記録を行う場合に、記録媒体から吐出されるインク量と記録媒体の吸液量との差分に基づいて照射タイミングを調整するようになっている。
【００２６】
また、請求項９に記載の発明は、請求項１から請求項８のいずれか一項に記載のインクジェット記録装置において、周面に前記記録媒体を保持して回転するドラム回転体と、
前記ドラム回転体を回転させる回転機構とを備え、
前記制御部は、前記ドラム回転体の回転数を変えることにより前記インクが前記記録媒体に着弾してから活性エネルギー線が前記インクに照射されるまでの時間を変化させるように前記回転機構を制御することを特徴としている。
【００２７】
このように、請求項９に記載の発明によれば、周面に記録媒体を保持して回転するドラム回転体と、ドラム回転体を回転させる回転機構とを備え、制御部は、ドラム回転体の回転数を変えることによりインクが記録媒体に着弾してから活性エネルギー線がインクに照射されるまでの時間を変化させるように回転機構を制御するようになっている。
【発明の効果】
【００２８】
請求項１に記載された発明によれば、記録媒体の最大吸液量又は一定時間後の吸液量が閾値を超えるか否かによって、インクが記録媒体に着弾してから活性エネルギー線がインクに照射されるまでの時間と記録ヘッドから吐出させるインク量とを調整する。これにより、記録媒体のインク浸透量に応じて最適な画像記録を行うことができ、画質の揃った高精細な画像を得ることができる。また、単位面積当りのインク量を変化させずに画像の質感をコントロールすることができるので、濃度や色域への影響を軽減しつつ所望の画像を得ることができるという効果を奏する。
【００２９】
請求項２に記載された発明によれば、記録媒体にインクが着弾してから活性エネルギー線がインクに照射されるまでの時間が経過するまでに吸液量が閾値を超えるか否かに応じて、インクが記録媒体に着弾してから活性エネルギー線がインクに照射されるまでの時間及び記録ヘッドから吐出させるインク量を調整するので、インクの硬化タイミングを的確に把握でき、画質の揃った高精細な画像を得ることができるという効果を奏する。
【００３０】
請求項３に記載された発明によれば、普通紙や上質紙等のような表面塗工が施されていない安価な記録媒体を用いて記録を行う場合でも、最も吸液量の変化の大きい領域で画像の質感をコントロールすることができる。このため、このような記録媒体を用いた場合でも画質の揃った高精細な画像記録を行うことができるという効果を奏する。
【００３１】
請求項４に記載された発明によれば、特に普通紙や上質紙等のような表面塗工が施されていない安価な記録媒体を用いて記録を行う場合でも画質の揃った高精細な画像記録を行うことができるという効果を奏する。
【００３２】
請求項５に記載された発明によれば、特に普通紙や上質紙等のような表面塗工が施されていない安価な記録媒体を用いて記録を行う場合でも画質の揃った高精細な画像記録を行うことができるという効果を奏する。
【００３３】
請求項６に記載された発明によれば、記録媒体から吐出されるインク量と記録媒体の吸液量との差分に基づいて、インクが記録媒体に着弾してから活性エネルギー線がインクに照射されるまでの時間と記録ヘッドから吐出させるインク量とを調整するので、記録媒体の表面に残留するインク量を一定に揃えることができ、常に一定の質感の画像を記録することができるという効果を奏する。
【００３４】
請求項７に記載された発明によれば、普通紙や上質紙等のような表面塗工が施されていない安価な記録媒体を用いて記録を行う場合でも、最も吸液量の変化の大きい領域で画像の質感をコントロールすることができる。このため、このような記録媒体を用いた場合でも画質の揃った高精細な画像記録を行うことができるという効果を奏する。
【００３５】
請求項８に記載された発明によれば、特に普通紙や上質紙等のような表面塗工が施されていない安価な記録媒体を用いて記録を行う場合でも画質の揃った高精細な画像記録を行うことができるという効果を奏する。
【００３６】
請求項９に記載された発明によれば、記録速度を変えることなく、インクが記録媒体に着弾してから活性エネルギー線がインクに照射されるまでの時間と記録ヘッドから吐出させるインク量とを調整することができる。このため、生産性を犠牲にすることなく、画質の揃った高精細な画像を得ることができるという効果を奏する。
【発明を実施するための最良の形態】
【００３７】
以下、図１から図６を参照しつつ、本発明に係るインクジェット記録装置の第１の実施形態について説明する。
【００３８】
図１に示すように、本実施形態におけるインクジェット記録装置１には、図示しない給紙部から給紙されインクジェット記録装置１の内部に搬入された記録媒体２を下方から支持し記録媒体２の搬送経路を形成する平板状の板状部材３が設けられている。また、板状部材３により形成される搬送経路上には、図示しない駆動機構により回転駆動し記録媒体２を搬送方向Ａに搬送する複数の搬送ローラ４が設けられている。
【００３９】
板状部材３における記録媒体２の搬送方向Ａの下流側には、搬送されてきた記録媒体２を外周面に保持する支持部材としてほぼ円筒形状のドラム回転体５が設けられている。ドラム回転体５は、ドラム回転体５の中心軸とほぼ同心となるように設けられた回転軸（図示せず）を備えており、ドラム回転体５は当該回転軸が記録媒体２の搬送方向Ａと直交するように配置されている。ドラム回転体５は、後述する回転機構７（図３参照）により回転軸が回転することによってドラム回転体５の周方向である所定の回転方向（以下「主走査方向Ｘ」と称する。）に一定速度で回転可能となっている。
【００４０】
図１及び図２に示すように、ドラム回転体５の下方であって、板状部材３における記録媒体２の搬送方向Ａの下流側一端に接する位置には、搬送されてきた記録媒体２をドラム回転体５に押し当てて外周面上に引き込むための引込みローラ８が配設されている。
【００４１】
ドラム回転体５の内面であって、記録媒体２がドラム回転体５の外周面上に巻き付けられた際に記録媒体２の主走査方向Ｘの下流側端部及び上流側端部に対応する位置には、記録媒体２をドラム回転体５の外周面上に保持する保持機構１０ａ，１０ｂがそれぞれ設けられている。
【００４２】
保持機構１０ａ，１０ｂは、例えばドラム回転体５に電圧を印加することによりドラム回転体５の外周面に静電気を発生させて記録媒体２を外周面上に静電吸着させるものである。なお、保持機構１０ａ，１０ｂはドラム回転体５の外周面上に記録媒体２を保持可能なものであればよく、保持機構１０ａ，１０ｂの構成はここに例示したものに限定されない。例えば、ドラム回転体５の外周面上に記録媒体２の主走査方向Ｘの下流側端部と上流側端部を挟持する保持機構を備える構成としてもよい。また、例えばドラム回転体５の外周面に複数の吸引孔を穿設し、図示しない吸引装置によりドラム回転体５の内部の空気を吸引することにより、ドラム回転体５の外周面に記録媒体２を吸着させる構成としてもよい。
【００４３】
また、ドラム回転体５の下方には、保持機構１０ａ，１０ｂによる保持が解除された記録媒体２が排出される排出トレイ（図示せず）が備えられている。
【００４４】
なお、ドラム回転体５に保持される記録媒体２としては、普通紙、再生紙、光沢紙等の各種紙、各種布地、各種不織布、樹脂、金属、ガラス等の種々の材質からなる記録媒体２が適用可能であるが、記録媒体２の形態としては、カットシート状、板状等、ドラム回転体５の外周面上に保持可能な各種形態が適用可能である。なお、本実施形態において記録媒体２は、ドラム回転体５の外周の長さより小さい寸法のものを適用することができる。
【００４５】
また、ドラム回転体５の外周面と対向する位置には、記録媒体２の主走査方向Ｘに直交する方向（以下「副走査方向Ｙ」と称する）に延在する図示しないガイドレールが設けられている。このガイドレールにはキャリッジ１１が支持されており、このキャリッジ１１は、後述するキャリッジ駆動機構１２（図３参照）によりガイドレールに沿って副走査方向Ｙに往復移動可能となっている。
【００４６】
キャリッジ１１には、本実施形態におけるインクジェット記録装置１で使用される各色（例えば、イエロー（Ｙ）、マゼンタ（Ｍ）、シアン（Ｃ）、ブラック（Ｋ）。）に対応した記録ヘッド１３が互いに長手方向に沿って平行となるように配設されている。記録ヘッド１３の一面はインクを吐出するノズル（図示せず）が複数設けられたインク吐出面（図示せず）となっている。記録ヘッド１３は、インク吐出面がドラム回転体５上の記録媒体２に対向するように配置されており、記録ヘッド１３から吐出されたインクが、ドラム回転体５上の記録媒体２の所定位置に着弾するように位置調整がなされている。
【００４７】
なお、記録ヘッド１３の数や配置はここに例示したものに限定されず、他の配置パターンで、より複数の記録ヘッドを備える構成としてもよい。また、インクジェット記録装置１で使用されるインクは例示したものに限定されず、例えば、ライトイエロー（ＬＹ）、ライトマゼンタ（ＬＭ）、ライトシアン（ＬＣ）等の色インクや透明インク等を使用することもできる。この場合には、各色に対応した記録ヘッド１３がキャリッジ１１に搭載される。
【００４８】
また、ドラム回転体５の外周面と対向する位置であって、キャリッジ１１に対して主走査方向Ｘの下流側には、副走査方向Ｙに延在する図示しないガイドレールが設けられている。このガイドレールには、記録媒体２の上に吐出され着弾したインクを硬化定着させる活性エネルギー線として紫外線を照射する照射装置である紫外線照射装置１４が支持されており、後述する照射装置移動機構１５（図３参照）によりガイドレールに沿って副走査方向Ｙに往復移動可能となっている。
【００４９】
紫外線照射装置１４は、紫外線を照射する紫外線光源（図示せず）を有している。この紫外線光源としては、例えば高圧水銀ランプ、低圧水銀ランプ、メタルハライドランプ、半導体レーザー、冷陰極管、エキシマーランプ、又はＬＥＤ（Light  Emitting  Diode）等を適用することが可能であるが、紫外線光源はここに例示したものに限定されない。
【００５０】
ここで本実施形態に用いられるインクについて説明する。
本実施形態に用いられるインクは、活性エネルギー線としての紫外線が照射されることにより硬化する性質を具備する紫外線硬化型インクであり、主成分として、少なくとも重合性化合物（公知の重合性化合物を含む。）と、光開始剤と、色材とを含むものである。上記光硬化型インクは、重合性化合物としてラジカル重合性化合物を含むラジカル重合系インクとカチオン重合性化合物を含むカチオン重合系インクとに大別されるが、この両系のインクが本実施形態に用いられるインクとしてそれぞれ適用可能である。また、ラジカル重合系インクとカチオン重合系インクとを複合させたハイブリッド型インクを本実施形態に用いられるインクとして適用してもよい。しかしながら、酸素による重合反応の阻害作用が少ない又は無いカチオン重合系インクの方が機能性、汎用性に優れるため、特に、カチオン重合系インクを用いることが好ましい。カチオン重合系インクは、少なくともオキセタン化合物，エポキシ化合物，ビニルエーテル化合物等のカチオン重合性化合物と、光カチオン開始剤と、色材とを含む混合物である。
【００５１】
次に、図３を参照しつつ、本実施形態におけるインクジェット記録装置１の制御構成について説明する。
【００５２】
インクジェット記録装置１には、例えば、図示しないＣＰＵ（Central Processing Unit）と、各種の制御プログラム等を格納するＲＯＭ（Read Only Memory）及び画像データ等を一時記憶するＲＡＭ（Random Access Memory）等からなる記憶部２０ａとを備えて構成される制御部２０が設けられている。制御部２０は、例えばＲＯＭに記録された制御プログラムをＲＡＭの作業領域に展開してＣＰＵにより実行するようになっている。
【００５３】
特に本実施形態において、記憶部２０ａには、例えば図４に示すような、記録媒体２の種類及び画像記録により得たい画質と、これに応じたドラム回転体５の回転数及び記録ヘッド１３から吐出されるインクの液適量とが対応付けられたテーブル（以下「ＬＵＴ」と称する。）が格納されている。制御部２０は、画像記録に使用される記録媒体２の種類及び所望の画質が決定すると、対応するＬＵＴを読み出し、当該ＬＵＴに基づいてドラム回転体５の回転数及び記録ヘッド１３から吐出されるインクの液適量を制御するようになっている。
【００５４】
記録媒体２上にインクが吐出された場合、記録媒体２に着弾したインクは当該記録媒体２が吸収できる限界のインク量（最大吸液量）に達するまで記録媒体２に吸収されていく。記録媒体に吸収されるインクの量及び吸収される速度は、記録媒体の種類によって異なる。例えば図５はインクが記録媒体２に着弾してからの時間経過と記録媒体２のインク吸液量との関係を記録媒体２の種類ごとに比較したグラフである。図５に示すように、表面加工が施されていない普通紙等、インクが比較的吸収されやすい記録媒体２（例えば図５で示す記録媒体Ａ）では、インクは記録媒体２に着弾した直後から記録媒体２に吸収され、最大吸液量に達するまで記録媒体２の吸液量が増加していく。これに対して、表面加工等がされていてインクが比較的吸収されにくい記録媒体２（例えば図５で示す記録媒体Ｃ）の場合には、インクが記録媒体２に着弾してから時間が経過しても記録媒体２に吸収される吸液量はほとんど増加しない。
【００５５】
また、記録媒体２に着弾したインクが速く硬化すると、画像は粒状感のあるマット調の画質となり、インクがゆっくりと硬化すると、インク同士が記録媒体２の表面で結合して画像表面が滑らかとなり、光沢感（つや）のある画質となる。そして、記録媒体２の種類とインクの硬化速度との関係は、記録媒体２がインクを吸収しにくいものであり記録媒体２の表面に残留するインクの量が多い場合には、インクが硬化するのに時間がかかり、記録媒体２の表面に残留するインクが少ない場合には比較的速く硬化するという関係にある。
【００５６】
また、記録媒体２に着弾したインクが硬化する速度は、記録媒体２に着弾してから硬化反応が開始されるまでの時間に左右され、本実施形態におけるインクのように、活性エネルギー線としての紫外線を照射することによって硬化するインクにおいては、記録ヘッド１３からインクが吐出されてから紫外線が照射されるまでの間の照射タイミングにより左右される。すなわち、照射タイミングが速い（記録媒体２に着弾してから硬化反応が開始されるまでの時間が短い）ほどインクは速く硬化し、照射タイミングが遅い（記録媒体２に着弾してから硬化反応が開始されるまでの時間が長い）ほどインクの硬化は遅くなる。
【００５７】
ここで、照射タイミングとは、例えば、図６に示すように、記録ヘッド１３のうち最も紫外線照射装置１４から離れた位置にある記録ヘッド１３の幅方向における中心と紫外線照射装置１４の幅方向における中心とを結んだ距離を記録媒体２が主走査方向Ｘに送られるのにかかる時間である。本実施形態のようにドラム回転体５に記録媒体２を支持して画像記録を行うドラム型のインクジェット記録装置１においては、ドラム回転体５の回転数が多いほど記録媒体２が速く主走査方向Ｘに送られ、照射タイミングが速くなる。
なお、照射タイミング（インクが記録媒体２に着弾してから硬化反応が開始されるまでの一定時間）は、記録媒体２毎に比較対照する基準となるものであればよく、ここに例示した距離に限定されない。例えば、紫外線照射装置１４の中心と紫外線照射装置１４から最も近くに位置する記録ヘッド１３の中心とを結んだ距離を記録媒体２が主走査方向Ｘに送られるのにかかる時間としてもよい。
【００５８】
このため、本実施形態におけるＬＵＴにおいては、図４に示すように、記録媒体２の種類と所望の画質に応じて、ドラム回転体５の回転数及び記録ヘッド１３から吐出させるインクの液適量とが対応付けられている。
すなわち、例えば、インクの吸収性の高い記録媒体２（図４における記録媒体Ａ）を用いて光沢感のある画質の画像を得たい場合には、ドラム回転体５の回転数を１００ｒｐｍとし、記録ヘッド１３から吐出させるインクの液適量を４ｄｐｄとする。また、同じ記録媒体２（図４における記録媒体Ａ）を用いる場合でも、マット調の画質の画像を得たい場合には、ドラム回転体５の回転数を２００ｒｐｍと、光沢感を得たい場合よりも速くし、記録ヘッド１３から吐出させるインクの液適量を２ｄｐｄと少なくする。
また例えば、インクの吸収性の低い記録媒体２（図４における記録媒体Ｂ）を用いて光沢感のある画質の画像を得たい場合には、ドラム回転体５の回転数を５０ｒｐｍとし、記録ヘッド１３から吐出させるインクの液適量を４ｄｐｄとする。また、同じ記録媒体２（図４における記録媒体Ｂ）を用いる場合でも、マット調の画質の画像を得たい場合には、ドラム回転体５の回転数を１００ｒｐｍと、光沢感を得たい場合よりも速くし、記録ヘッド１３から吐出させるインクの液適量も２ｄｐｄと少なくするというように対応付けがなされている。
【００５９】
なお、記録媒体２にインクが着弾してから活性エネルギー線がインクに照射されるまでの時間（一定時間）があまり長くなると、記録媒体２上に着弾したインク同士が混ざり合う等により高品質な画像を形成することができなくなるおそれがある。このため、記録媒体２にインクが着弾してから活性エネルギー線がインクに照射されるまでの時間は、０．１から０．４秒以内で調整されることが好ましい。
【００６０】
なお、画像記録に使用される記録媒体２として選択されたものがインクを吸収し易いものか、吸収しにくいものかは、記録媒体２にインクが着弾してから活性エネルギー線がインクに照射されるまでの時間（一定時間）に当該記録媒体２吸収されるインクの吸収量によって決定される。本実施形態においては、例えば、記録媒体２にインクが着弾してから活性エネルギー線がインクに照射されるまでの時間（一定時間）後に記録媒体２に吸収されるインクの吸液量の閾値データが記憶部２０ａに格納されている。
【００６１】
制御部２０は、画像記録に使用される記録媒体２が選択されると、記憶部２０ａから閾値データを読み出して当該記録媒体２が閾値を超えるものであるか否かを判断する。そして閾値を超えるものである場合には、前述のＬＵＴにおいてインクの吸収性の高い記録媒体２（図４における記録媒体Ａ）であると判断し、閾値を超えないものである場合には、インクの吸収性の低い記録媒体２（図４における記録媒体Ｂ）であると判断して、それぞれ所望の画質に応じたドラム回転体５の回転数及び記録ヘッド１３から吐出させるインクの液適量を決定する。
【００６２】
なお、記録媒体２にインクが着弾してから活性エネルギー線がインクに照射されるまでの時間（一定時間）に当該記録媒体２吸収されるインクの吸収量の閾値は、表面塗工加工等を施していない記録媒体２を使用する場合も考慮して３から２５ｍｌ／ｍ２に設定されていることが好ましい。
【００６３】
なお、ＬＵＴは、ここに例示したものに限定されない。例えば、さらに複数種類の記録媒体に対応するように、より細かく種類分けされていてもよい。また、所望の画質も、光沢感ありかマット調かという２種類でなく、さらに複数に段階付けられていてもよい。
【００６４】
また、インクジェット記録装置１は、記録媒体２の種類や画像記録条件等を入力する入力部２１を有しており、入力部２１から入力された情報は、制御部２０に送られるようになっている。入力部２１は、例えばキーボードや操作パネルであり、ユーザは入力部２１を操作することにより画像記録に用いる記録媒体２の種類や所望の画質等の各種画像記録条件を選択、設定することができるようになっている。
【００６５】
また、制御部２０は、搬送ローラ４を回転駆動させて記録媒体２を所定の搬送方向Ａに搬送させるとともに、搬送されてきた記録媒体２を保持機構１０ａ，１０ｂによりドラム回転体５の外周面上に保持させるようになっている。
【００６６】
さらに、制御部２０は、キャリッジ駆動機構１２を制御してキャリッジ１１を副走査方向Ｙに走査させるとともに、回転機構７を制御してドラム回転体５を回転させキャリッジ１１の動作に合わせて記録媒体２を主走査方向Ｘに搬送させるようになっている。
【００６７】
さらに、制御部２０には、図示しない外部装置から記録画像に関する画像データが送られるようになっており、制御部２０は、送られてきた画像データ及び入力部２１から入力された情報等に基づいて、キャリッジ１１が副走査方向Ｙの往路方向（図２における矢印方向）に移動している間、記録ヘッド１３を動作させる。これにより、各記録ヘッド１３から適切な吐出量のインクが吐出され、記録媒体２上に所定の画像を記録されるようになっている。
【００６８】
また、制御部２０は、照射装置移動機構１５を制御して紫外線照射装置１４をキャリッジ１１の移動に対応して副走査方向Ｙに移動させるとともに、紫外線照射装置１４を動作させて記録媒体２上に吐出されたインクに対して紫外線を照射させるようになっている。
【００６９】
次に、本実施形態における作用について説明する。
【００７０】
図示しない外部装置から入力された画像データがインクジェット記録装置１に送られると、送られた画像データは制御部２０のＲＡＭ等に記憶される。そして、ユーザにより入力部２１から画像記録を開始する信号が入力されると、制御部２０は、記録媒体２をドラム回転体５まで搬送して保持機構１０ａ，１０ｂによりドラム回転体５の外周面に保持しする。そして、入力部２１から画像記録に使用する記録媒体２の種類及び所望の画質が入力されると制御部２０は記憶部２０ａから選択された種類の記録媒体２及び所望の画質に対応したＬＵＴを読み出して、ドラム回転体５の回転数及び記録ヘッド１３から吐出させる液適量を決定する。
【００７１】
ドラム回転体５の回転数及び記録ヘッド１３から吐出させる液適量が決定すると、制御部２０が回転機構７を制御することにより、決定された所定の速度で記録媒体２が順次主走査方向Ｘの上流側から下流側に搬送される。また、制御部２０がキャリッジ駆動機構１２を制御することによりキャリッジ１１を記録媒体２の上を副走査方向Ｙに沿って走査させるとともに、制御部２０は各記録ヘッド１３を制御することにより、キャリッジ１１が副走査方向Ｙの往路方向に移動する間、決定された所定量のインクを所定の画素に吐出させる。
【００７２】
また制御部２０は、キャリッジ１１の動きに対応して紫外線照射装置１４を移動させ、記録媒体２上に吐出されたインクに紫外線照射装置１４から紫外線を照射させる。これによりインクが硬化定着し、記録媒体２上に画像が記録される。画像記録が完了すると、記録媒体２は保持機構１０ａ，１０ｂによる保持が解除されてドラム回転体５の外周面から離間し排出トレイに排出される。
【００７３】
以上のように、本実施形態によれば、画像記録に使用する記録媒体２及び所望の画質に応じてドラム回転体５の回転数及び記録ヘッド１３から吐出させる液適量を決定し、これに従って、画像記録を行うので、インクの吸液量の異なる様々な種類の記録媒体２を用いて画像記録を行う場合でもユーザの所望の画像を得ることができる。
【００７４】
なお、本実施形態においては、記録媒体にインクが着弾してから紫外線照射が行われるまでの時間における吸液量に対応したＬＵＴを設けてこれに応じて制御を行うものとしたが、記録媒体２の最大吸液量に対応したＬＵＴを設けて、これに応じて制御を行ってもよい。
この場合には、ＬＵＴにおいて、例えば、記録媒体２の最大吸液量が多いほど、ドラム回転体５の回転数を多くして照射タイミングを速くするとともに、記録ヘッド１３から吐出させるインクの液適量を少なくする。また、記録媒体２の最大吸液量が少ないほど、ドラム回転体５の回転数を少なくして照射タイミングを遅くするとともに、記録ヘッド１３から吐出させるインクの液適量も多くする、というように対応付けがなされる。
なお、この場合、記録媒体２がインクを吸収する最大吸液量の閾値は、表面塗工加工等を施していない記録媒体２を使用する場合も考慮して３から２５ｍｌ／ｍ２に設定されていることが好ましい。
【００７５】
また、本実施形態においては、紫外線を照射することにより硬化するインクを用いて画像記録を行うものとしたが、インクは必ずしもこれには限定されず、例えば、紫外線、電子線、Ｘ線、可視光線、赤外線等の電磁波といった紫外線以外の光を照射することにより硬化するインクであってもよい。この場合、インクには、紫外線以外の光で重合して硬化する重合性化合物と、紫外線以外の光で重合性化合物同士の重合反応を開始させる光開始剤とが適用される。また、紫外線以外の光で硬化する光硬化型のインクを用いる場合は、紫外線光源に代えて、その光を照射する光源を適用する。
【００７６】
また、本実施形態においては、キャリッジ１１を一方向（副走査方向Ｙの往路方向）に移動させるときのみにインクを吐出させる構成としたが、副走査方向Ｙに沿っていずれの方向に走査する際にもインクを吐出させ記録を行う構成としてもよい。
【００７７】
また、本発明によるインクジェット記録装置１で使用する記録ヘッド１３は、オンデマンド方式でもコンティニュアス方式でも構わない。また、吐出方式としては、例えば、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）、静電吸引方式（例えば、電界制御型、スリットジェット型等）及び放電方式（例えば、スパークジェット型等）等のうち、いずれの吐出方式を用いても構わない。
【００７８】
その他、本発明が上記実施の形態に限らず適宜変更可能であるのは勿論である。
【００７９】
次に、本発明に係るインクジェット記録装置の第２の実施形態について説明する。なお、第２の実施形態は、制御部がドラム回転体の回転数及び記録ヘッドから吐出させる液適量を決定する制御構成のみが第１の実施形態と異なるものであるので、以下においては、特に第１の実施形態と異なる点について説明する。
【００８０】
本実施形態において、インクジェット記録装置は第１の実施形態と同様、記録媒体を保持するドラム回転体（図示せず）を備えるドラム型のインクジェット記録装置であり、第１の実施形態と同様の記憶部を備える制御部（図示せず）を備えている。
【００８１】
記憶部には、記録媒体に吐出されるインクの量と記録媒体に吸収されるインク量との差分及び所望の画質と、ドラム回転体の回転数及び記録ヘッドから吐出させる液適量とが対応付けられたＬＵＴが格納されており、制御部は、このＬＵＴに基づいてドラム回転体の回転数及び記録ヘッドから吐出させる液適量を決定し、ドラム回転体の回転速度及び記録ヘッドから吐出させる液適量を調整するように制御するようになっている。
【００８２】
すなわち、画像の画質は、記録媒体上に残留するインクの量によって左右されることから、記録媒体の最大吸液量等に関わらず、記録媒体の表面にとどまるインク量が同じであれば、画質は同じとなる。このため、図７に示すように、インク吸収性のよい記録媒体Ａのインク吸液量（インク吸収能力：図７における一点鎖線）と記録媒体Ａに実際に吐出されたインクの吸液量（図７の最上部の点線）との差分は、記録媒体に吸収しきれずに記録媒体Ａの表面にとどまるインク量となる。同様に、インク吸収性の悪い記録媒体Ｂのインク吸液量（インク吸収能力：図７における点線）と記録媒体Ｂに実際に吐出されたインクの吸液量（図７の実線）との差分は、記録媒体Ｂに吸収しきれずに記録媒体の表面にとどまるインク量となる。この差分が同じとなるようにドラム回転体の回転数及び記録ヘッドから吐出させる液適量を決定することにより、記録媒体の表面にとどまるインク量が同じとなり、記録媒体の種類に関わらず一定の画質を得ることができる。
【００８３】
このため、本実施形態におけるＬＵＴにおいては、例えば、インクの吸収性の高い記録媒体を用いて画像記録を行う場合には、ドラム回転体の回転数を多くし、記録ヘッドから吐出させるインクの液適量を多くして所望の画質を得るに必要な差分を生じるようにする。すなわち、光沢感のある画質の画像を得たい場合には、ドラム回転体の回転数をより少なくし、記録ヘッドから吐出させるインクの液適量を多くする。また、同じ記録媒体を用いる場合でも、マット調の画質の画像を得たい場合には、ドラム回転体の回転数を光沢感を得たい場合よりも多くし、記録ヘッドから吐出させるインクの液適量も少なくする。
また例えば、インクの吸収性の低い記録媒体を用いて光沢感のある画質の画像を得たい場合には、インクの吸収性の高い記録媒体を用いる場合と比べて、記録ヘッドから吐出させるインクの液適量は同量でも、ドラム回転体の回転数は少なくする。また、同じ記録媒体を用いる場合でも、マット調の画質の画像を得たい場合には、ドラム回転体の回転数を光沢感を得たい場合より多くし、記録ヘッドから吐出させるインクの液適量を少なくするというように対応付けがなされている。
【００８４】
なお、第１の実施形態で述べたように、ドラム回転体の回転数を変化させることにより、記録媒体にインクが着弾してから活性エネルギー線がインクに照射されるまでの時間（照射タイミング）を調整することができるが、この記録媒体にインクが着弾してから活性エネルギー線がインクに照射されるまでの時間（照射タイミング）があまり長くなると、記録媒体の上に着弾したインク同士が混ざり合う等により高品質な画像を形成することができなくなるおそれがある。このため、記録媒体にインクが着弾してから活性エネルギー線がインクに照射されるまでの時間は、０．１から０．４秒以内で調整されることが好ましい。
【００８５】
なお、画像記録に使用される記録媒体として選択されたものが、記録媒体に吐出されるインク量と記録媒体に吸収されるインク量との間でどの程度の差分を生じるものであるかは、当該記録媒体がインクを吸収し易いものか、吸収しにくいものかという、記録媒体のインク吸収能力によるが、この記録媒体のインク吸収能力は、記録媒体にインクが着弾してから活性エネルギー線がインクに照射されるまでの時間（照射タイミング）に当該記録媒体に吸収されるインクの吸液量によって決定される。本実施形態においては、例えば、記録媒体にインクが着弾してから活性エネルギー線がインクに照射されるまでの時間後に記録媒体に吸収されるインクの吸液量の閾値データが記憶部に格納されている。
【００８６】
制御部は、画像記録に使用される記録媒体が選択されると、記憶部から閾値データを読み出して当該記録媒体が閾値を超えるものであるか否かを判断する。そして閾値を超えるものである場合には、前述のＬＵＴにおいてインクの吸収性の高い記録媒体であると判断し、閾値を超えないものである場合には、インクの吸収性の低い記録媒体であると判断して、記録媒体に吐出されるインク量と記録媒体に吸収されるインク量との差分が、それぞれ所望の画質に応じたものとなるように、ドラム回転体の回転数及び記録ヘッドから吐出させるインクの液適量を決定するようになっている。
【００８７】
なお、差分を求める際の基準となる記録媒体の吸液量の閾値は、表面塗工加工等を施していない記録媒体を使用する場合も考慮して３から２５ｍｌ／ｍ２に設定されていることが好ましい。
【００８８】
なお、第１の実施形態と同様に、ＬＵＴは、さらに複数種類の記録媒体に対応するように、より細かく種類分けされていてもよい。また、所望の画質も、光沢感ありかマット調かという２種類でなく、さらに複数に段階付けられていてもよい。
【００８９】
その他、制御部の制御構成、及び装置各部の構成は、第１の実施形態に示したものと同様であるので、その説明を省略する。
【００９０】
次に、本実施形態における作用について説明する。
【００９１】
ユーザによって記録に使用される記録媒体及び所望の画質が選択されると、制御部は記憶部から選択された種類の記録媒体及び所望の画質に対応したＬＵＴを読み出して、ドラム回転体の回転数及び記録ヘッドから吐出させる液適量を決定する。
【００９２】
ドラム回転体の回転数及び記録ヘッドから吐出させる液適量が決定すると、制御部が回転機構を制御することにより、決定された所定の速度で記録媒体が順次主走査方向Ｘの上流側から下流側に搬送される。また、制御部がキャリッジ駆動機構を制御することによりキャリッジを記録媒体の上を副走査方向に沿って走査させるとともに、制御部は各記録ヘッドを制御することにより、キャリッジが副走査方向Ｙの往路方向に移動する間、決定された所定量のインクを所定の画素に吐出させる。
【００９３】
また制御部は、キャリッジの動きに対応して紫外線照射装置を移動させ、記録媒体上に吐出されたインクに紫外線照射装置から紫外線を照射させる。これによりインクが硬化定着し、記録媒体上に画像が記録される。画像記録が完了すると、記録媒体は保持機構による保持が解除されてドラム回転体の外周面から離間し排出トレイに排出される。
【００９４】
以上のように、本実施形態によれば、記録媒体に吐出されるインクの量と記録媒体に吸収されるインク量との差分及び所望の画質に応じてドラム回転体の回転数及び記録ヘッドから吐出させる液適量を決定し、これに従って、画像記録を行うので、インクの吸液量の異なる様々な種類の記録媒体を用いて画像記録を行う場合でも、記録媒体の表面に残留するインク量を一定とすることができ、ユーザの所望の画像を得ることができる。
【００９５】
次に、図８を参照しつつ、本発明に係るインクジェット記録装置の第３の実施形態について説明する。なお、以下においては、特に第１の実施形態及び第２の実施形態と異なる点について説明する。
【００９６】
まず、図８に示すように、本実施の形態において、インクジェット記録装置３０は、シリアルプリント方式によるインクジェット記録装置３０であり、このインクジェット記録装置３０には、平板状に形成され記録媒体２を非記録面から支持する支持部材としてのプラテン３１が設けられている。プラテン３１には、例えば、表面に静電気を生じさせて記録媒体を静電吸着させることによって保持する保持機構（図示せず）を備えている。なお、保持機構が記録媒体２を保持する構成はここに例示したものに限定されない。
【００９７】
プラテン３１の上方には、プラテン３１の長手方向に延在する棒状のガイドレール３３が設けられている。このガイドレール３３には、キャリッジ３４が支持されており、キャリッジ３４は図示しない駆動機構によりガイドレール３３に沿って主走査方向Ｘに往復移動自在となっている。
【００９８】
また、インクジェット記録装置３０には、複数の搬送ローラ３６等により構成され、主走査方向Ｘと直交する副走査方向Ｙに記録媒体２を送るための記録媒体搬送機構（図示せず）が設けられている。記録媒体搬送機構は、搬送ローラ３６を回転させることによって、画像記録時において、キャリッジ３４の動作に合わせて記録媒体２の搬送と停止とを繰り返し、記録媒体２を副走査方向Ｙの上流側から下流側に間欠的に搬送するようになっている。
【００９９】
図８に示すように、キャリッジ３４には、本実施形態におけるインクジェット記録装置３０で使用される各色（ブラック（Ｋ）、シアン（Ｃ）、マゼンタ（Ｍ）、イエロー（Ｙ）。）に対応した４つの記録ヘッド４０が搭載されている。各記録ヘッド４０は、外形が略直方体状に形成されており、長手方向が互いに平行となるように配置されている。なお、インクジェット記録装置３０で使用されるインクはこれに限定されず、例えば、ライトイエロー（ＬＹ）、ライトマゼンタ（ＬＭ）、ライトシアン（ＬＣ）等の色を使用することもできる。この場合には、各色に対応した記録ヘッドがキャリッジに搭載される。なお、本実施形態に適用されるインクは、第１の実施形態及び第２の実施形態と同様であるため説明を省略する。
【０１００】
キャリッジ３４の内側であり記録ヘッド６の主走査方向Ｘの上流側には、記録媒体２の上に吐出され着弾したインクを硬化定着させる活性エネルギー線として紫外線を照射する照射装置として紫外線照射装置４１が配設されている。紫外線照射装置４１は、第１の実施形態及び第２の実施形態と同様の紫外線を照射する紫外線光源（図示せず）を有している。
【０１０１】
なお、紫外線照射装置４１の配置はこれに限定されず、各記録ヘッド４０の間にもそれぞれ紫外線照射装置４１を設けるようにしてもよい。また、紫外線照射装置４１は、キャリッジ３４の上に搭載されている場合に限られず、キャリッジ３４の外に設けられていてもよい。
【０１０２】
また、記録媒体２としては、普通紙、再生紙、光沢紙等の各種紙、各種布地、各種不織布、樹脂、金属、ガラス等の種々の材質からなる記録媒体２が適用可能である。また、記録媒体２の形態としては、ロール状、カットシート状、板状等の各種形態が適用可能である。
【０１０３】
インクジェット記録装置３０には、第１の実施形態及び第２の実施形態と同様に、装置各部を制御する制御部及び各種の情報を入力する入力部が設けられている（いずれも図示せず）。
【０１０４】
制御部は、保持機構を動作させて、プラテン３１の表面に記録媒体２を吸着保持させるようになっている。
【０１０５】
また、制御部は、キャリッジ３４を主走査方向Ｘに移動させるとともに、搬送ローラ３６を回転駆動させることによりキャリッジ３４の動きに合わせて記録媒体２を副走査方向Ｙの上流側から下流側に向かって間欠搬送させるようになっている。
【０１０６】
さらに、制御部は、記録ヘッド４０を動作させて所定量のインクを吐出させるとともに、紫外線照射装置４１を制御して記録ヘッド４０から吐出され記録媒体２上に着弾したインクに対して紫外線を照射するようになっている。
【０１０７】
また、制御部は、第１の実施形態又は第２の実施形態と同様のＬＵＴを格納する記憶部（図示せず）が設けられており、制御部は、ＬＵＴを参照しつつ、キャリッジ３４の移動速度及び記録ヘッド４０から吐出させる液適量を決定するようになっている。ＬＵＴは、第１の実施形態に示したような記録媒体２の種類及び画像記録により得たい画質と、これに応じたキャリッジ３４の移動速度及び記録ヘッド４０から吐出されるインクの液適量とが対応付けられたＬＵＴでもよいし、第２の実施形態に示したような記録媒体に吐出されるインクの量と記録媒体２に吸収されるインク量との差分及び所望の画質に応じたキャリッジ３４の移動速度及び記録ヘッド１３から吐出させる液適量とが対応付けられたＬＵＴでもよい。
【０１０８】
その他、制御部の制御構成、及び装置各部の構成は、第１の実施形態及び第２の実施形態に示したものと同様であるので、同一箇所には同一の符号を付してその説明を省略する。
【０１０９】
次に、本実施形態における作用について説明する。
【０１１０】
画像記録を開始する信号が入力されると、制御部は、ユーザによって選択された記録媒体の種類及び所望の画質に応じてＬＵＴを読み出し、キャリッジ３４の移動速度及び記録ヘッド４０から吐出させる液適量を決定する。キャリッジ３４の移動速度及び記録ヘッド４０から吐出させる液適量が決定されると、記録媒体２が副走査方向Ｙに搬送され、記録媒体２がプラテン３１の上まで搬送されると、記録媒体２は保持機構によってプラテン３１の上に保持される。記録媒体２は、順次副走査方向Ｙの上流側から下流側に所定の搬送速度で間欠搬送され、同時に前記決定された移動速度でキャリッジ３４が記録媒体２の上を主走査方向Ｘに沿って走査する。そして、キャリッジ３４が主走査方向Ｘの往路方向に移動する間、各記録ヘッド４０から所定の吐出量のインクが所定の画素に吐出される。さらに記録媒体２上に吐出されたインクに紫外線照射装置４１から紫外線を照射される。これによりインクが硬化定着し、記録媒体２上に画像が記録される。
【０１１１】
以上のように、本実施形態によれば、シリアル方式のインクジェット記録装置３０によって画像記録を行う場合にも、記録媒体２の種類に関わらず、所望の画質の画像を得ることができる。
【０１１２】
なお、本実施形態においてインクジェット記録装置３０は、キャリッジ３４に搭載された記録ヘッド４０を主走査方向Ｘに往復移動させるとともに、記録媒体２を副走査方向Ｙに搬送させながら、各記録ヘッド４０からインクを吐出させて、画像を形成するシリアルプリント方式のインクジェット記録装置３０としたが、プリンタ本体に固定された各記録ヘッドからインクを吐出させるとともに、記録媒体２を搬送させながら、画像を形成するラインプリント方式のインクジェット記録装置としてもよい。
この場合には、ＬＵＴに応じて、記録媒体の搬送速度及び記録ヘッドから吐出させるインク量が決定され、決定された搬送速度で記録媒体を搬送方向に搬送しながら記録ヘッドから所定量のインクを吐出させる。これにより、記録媒体の種類に関わりなく、高精細な画像記録を行い、所望の画質の画像を得ることができる。
【０１１３】
その他、本発明が本実施の形態に限られないことは、第１の実施形態及び第２の実施形態と同様である。
【図面の簡単な説明】
【０１１４】
【図１】本発明に係るインクジェット記録装置の第１実施形態の要部構成を示した側面図である。
【図２】本発明に係るインクジェット記録装置の第２実施形態の要部構成を示した斜視図である。
【図３】本実施の形態に係るインクジェット記録装置の第１実施形態の制御構成の概略を示した要部ブロック図である。
【図４】第１の実施形態においてドラム回転体の回転数及び記録ヘッドから吐出させる液適量を決定するためのＬＵＴの一例である。
【図５】時間の経過と記録媒体毎のインク吸液量との関係を示したグラフである。
【図６】記録ヘッドと紫外線照射装置との位置関係と照射タイミングについて説明する図である。
【図７】時間の経過と記録媒体毎のインク吸液量の差分との関係を示したグラフである。
【図８】本発明に係るインクジェット記録装置の第３実施形態の要部構成を示した上面図である。
【符号の説明】
【０１１５】
１  インクジェット記録装置
２  記録媒体
５  ドラム回転体
１０  保持機構
１３  記録ヘッド
１４  紫外線照射装置
２０  制御部
２０ａ  記憶部
Ａ  搬送方向
Ｘ  主走査方向
Ｙ  副走査方向
【図１】
2007144849.tif 000003
【図２】
2007144849.tif 000004
【図３】
2007144849.tif 000005
【図４】
2007144849.tif 000006
【図５】
2007144849.tif 000007
【図６】
2007144849.tif 000008
【図７】
2007144849.tif 000009
【図８】
2007144849.tif 000010